(57)【要約】【課題】商品に付加価値を加え商品価値が高められるばかりでなく、容器本体を利用してジグソーパズルが楽しめるといった遊技機能も備えた包装容器を提供する。【解決手段】上面が開口する容器本体１と、該容器本体１の上面に被さる蓋体２と、前記容器本体１の上面であって前記蓋体２の天板１５の裏側に配置されるジグソーパズル３とからなり、前記容器本体１の裏面には前記ジグソーパズル３を構成するピース３ａを並べて組立てるための組立凹部８を成形した構成からなる。【選択図】図２
2006256680.tif 000002
【特許請求の範囲】
【請求項１】
上面が開口する容器本体と、前記容器本体の上面に被さる蓋体と、前記容器本体の上面であって前記蓋体の天板の下側に配置されるジグソーパズルとからなり、前記容器本体の裏面には前記ジグソーパズルを構成するピースを並べて組立てるための組立凹部を成形したことを特徴とする包装容器。
【請求項２】
前記蓋体の天板は透明であり、前記天板を介してジグソーパズルが見られるようにした請求項１記載の包装容器。
【請求項３】
前記ジグソーパズルが前記組立凹部に嵌った状態で飾るために適宜位置に保持手段を設けた請求項３記載の包装容器。
【発明の詳細な説明】
【技術分野】
【０００１】
本発明は、ジグソーパズルを収納してなる包装容器に関するものである。
【背景技術】
【０００２】
従来、菓子類を収納する包装容器として、例えば上面が開口する容器本体と該容器本体の上面に被さる蓋体とからなるものがある。そして、容器本体内に菓子を収納した後にその上面に蓋体を被せて商品としている（例えば、特許文献１参照。）。通常、前記蓋体の上面には、菓子に関する宣伝用の文字・図形が印刷される。
【特許文献１】特開平１１−９１７８３号公報（第３−４頁、図１）
【発明の開示】
【発明が解決しようとする課題】
【０００３】
前記特許文献１の包装容器は、商品を包装するといった本来的な機能を有するのみであって空箱はほとんどそのまま廃棄されており、商品がマンネリ化して付加価値に乏しく、需要者の要求に合わせ購買意欲を増す上での工夫に欠けている。例えば、包装容器に他の利用方法があれば需要者に興味を抱かせることができ好ましい。
【０００４】
そこで、本発明は上記課題に鑑みてなされたもので、商品に付加価値を加え商品価値が高められるばかりでなく、容器本体を利用してジグソーパズルが楽しめるといった遊技機能も備えた包装容器を提供することを目的とするものである。
【課題を解決するための手段】
【０００５】
かかる目的を達成するため本発明に係る包装容器は、上面が開口する容器本体と、該容器本体の上面に被さる蓋体と、前記容器本体の上面であって前記蓋体の天板の下側に配置されるジグソーパズルとからなり、前記容器本体の裏面には前記ジグソーパズルを構成するピースを並べて組立てるための組立凹部を成形した構成からなる。
【０００６】
また、前記蓋体の天板は透明であり、前記天板を介してジグソーパズルが見られるようにすることが好ましい。
【０００７】
更に、前記ジグソーパズルが前記組立凹部に入った状態で飾るために適宜位置に保持手段を設けることが好ましい。
【発明の効果】
【０００８】
請求項１に係る包装容器は、包装容器内にジグソーパズルを収納し、しかも、包装容器の裏面を使ってジグソーパズルが組立てられるようにしたので、商品に付加価値が加えられて購買意欲をそそり商品価値が高められるばかりでなく、容器本体を利用してジグソーパズルが楽しめるといった遊技機能も備えられ、需要者は楽しく遊ぶこともでき便利であるという効果がある。また、空箱が再使用されることから、ゴミ問題にも寄与できる。
【０００９】
また、請求項２に係る包装容器のように、蓋体の天板を透明にすると共に該天板を介してジグソーパズルが見られるようにすれば、需要者は該ジグソーパズルに印刷して描出されるキャラクター、自動車または風景画等の絵・図柄を直接見ることができ、これにより商品価値が高められる。更に、容器本体裏面の組立凹部で組立てられたジグソーパズルに蓋体を被せることにより、フレームで固定されたような体裁を作ることができ見て楽しめ、保管するにもピースがバラバラにならず便利である。
【００１０】
更に、ジグソーパズルが組立凹部に嵌った状態で蓋体を被せて飾るために、適宜位置に保持手段を設けるようにすれば、ジグソーパズルの嵌った容器本体を例えば机の上に置いたりまたは壁に掛けられ、インテリアとして飾って楽しむことができる。
【発明を実施するための最良の形態】
【００１１】
以下、本発明に係る包装容器の実施の形態を図面に基づき説明する。包装容器には、例えば菓子、食品または日用品、文房具等であって比較的小さいものを収容する包装容器を含む。図１は本発明に係る包装容器の斜視図、図２は同分解斜視図、図３は同裏側から見た斜視図である。
【００１２】
包装容器Ａは、例えば直径２０ｃｍ、高さ３ｃｍの大きさからなり平面円形状に成形される。そして、容器本体１と蓋体２とジグソーパズル３と該ジグソーパズル３の台板４とから構成される。この場合、ジグソーパズル３はこれを構成する各ピース３ａにより組立てられ平面的に完成したものをいう。包装容器Ａは平面円形状に限られるものではなく、例えば正方形、長方形、三角形、五角形または六角形等の多角形であっても良い。
【００１３】
容器本体１は厚紙から成形され、円板状の底板５とその周縁に立設される周側板６からなり、周側板６の上端縁は内側へ円弧状に屈曲したカール部７が設けられる。この場合、周側壁６の内側に補強板６ａが重ねられている。また、容器本体１裏面すなわち底板５の下面の外周縁は、周側板６の下端縁が底板５の下面よりも少し下方へ突出している。これにより、底板５の下面に各ピース３ａによりジグソーパズル３を組立てるための組立凹部８が成形される。
【００１４】
底板５の上面には、包装容器Ａを机の上などの水平な面に立てて飾るため、容器本体１に保持手段としての保持部材９が取り付けられる。該保持部材９は、周縁を底板５上面に糊付けされた基板１０を切り抜いて成形され、両側に所定の間隔離して位置する側片部１１，１１と両側片部１１，１１間に位置する中間片部１２とからなる。各側片部１１は内側一辺１１ａのみ残され基板１０と連結しており、残りの周辺１１ｂは切り抜かれている。また、中間片部１２は下辺１２ａのみが残され基板１１と連結しており、残りの周辺１２ｂは切り抜かれている。
【００１５】
これにより、各側片部１１は一辺１１ａを中心として引き起すことができ、中間片部１２は下辺１２ａを中心として引き起すことができるようになっている。また、各側片部１１の後端部位に切欠１３が設けられる。そして、前記中間片部１２を二つ折りすると共にその先端部を前記切欠１３，１３に係合させることにより、容器本体１すなわち包装容器Ａが水平な面に立つことになる。また、周側板６の２箇所に所定の間隔離して保持手段としての吊下孔１４，１４が開設される。これは、これら吊下孔１４，１４に後記する保持手段としての紐１９を挿通して包装容器Ａが壁などの鉛直面に吊下げられるようにするためである。各保持手段は前記保持部材９や吊下孔１４に限られるものではなく、他の構成であっても良い。
【００１６】
蓋体２は、円形の透明な合成樹脂板からなる天板１５と、該天板１５の周縁に該周縁を囲うようにして下方へ突出する厚紙製の蓋側板１６からなる。そして、前記周側板６と同様に蓋側板１６の上端縁にカール部１７が設けられる。また、蓋側板１６に前記周側板６の吊下孔１４，１４と対応位置して同じく吊下孔１８，１８が開設されている。前記天板１５は不透明な厚紙により成形するようにしても良い。
【００１７】
ジグソーパズル３は、厚紙から成形され平面円形状をなし、複数の連結可能なピース３ａが並べられて構成される。このジグソーパズル３の上面にはキャラクター、自動車または風景画等の絵・図柄が印刷して描出される。また、商品に関する宣伝用の文字・図形であっても良い。ジグソーパズル３の下面に敷かれる台板４は、該ジグソーパズル３とほぼ同じ大きさをなし、ジグソーパズル３が包装容器Ａ内に収納されている間に各ピース３ａがバラバラにならないように保持している。また、台板４の一側面に前記ジクソーパズル３に描出された絵・図柄と同じ絵・図柄が印刷され、ジグソーパズル３を組立てる際の助けとなるようにしている。
【００１８】
そして、図４に示すように容器本体１内に、例えば菓子であるキャンディＫを詰め、その上に台板４に載せたジグソーパズル３を載せ、さらに蓋体２を被せる。更に、その外側には、印刷されたまたは印刷なしの透明なフィルムによるシュリンプ包装をするようにしても良い。なお、蓋体２または容器本体１の外周面に、組立凹部８にピース３ａを並べてジグソーパズル３が組立てて遊べる旨の表示をしておく。
【００１９】
このようにして包装容器Ａは需要者に渡されるが、需要者は、中身のキャンディＫを食した後に、ジグソーパズル３で遊ぼうとする場合は次のようにして行なう。すなわち、バラバラにした複数のピース３ａを傍に置く。そして、容器本体１を裏返して組立凹部８を上側に向け、図５に示すように各ピース３ａを組立ててゆく。この際、組立凹部８の外周縁には周側板６が突設されるので、組立てる各ピース３ａの横ずれがなく組立て易い。図６に示すようにジグソーパズル３の組立が完成したら、図７、図８に示すように各吊下孔１４，１８を合致させた状態でジグソーパズル３の上面に蓋体２を被せる。このようにして保管しておけばジグソーパズル３がバラバラになることなく便利であり、また、蓋体２を開けていつでも遊ぶことができる。
【００２０】
組立が完成したジグソーパズル３を前記のまま飾りたい場合、例えば机の上といった水平な面に立てる場合は、図９に示すように、各側片部１１を一辺１１ａを中心としてほぼ直角に引き起し、中間片部１２を下辺１２ａを中心として引き起すと共に長手方向の中央で二つ折りし、その先端部を切欠１３，１３に係合させる。これにより、組立凹部８にジグソーパズル３が嵌った包装容器Ａが水平な面に立つことになる。この場合、蓋側板１６の上端縁にカール部１７が設けられているので、フレームに見立てられ見栄えが良い。また、壁といった鉛直な面に前記包装容器Ａを吊下げて飾る場合は、図１０に示すように前記各吊下孔１４，１８に保持手段としての紐１９を挿通して吊下げるようにする。
【００２１】
このように、本発明は、包装容器Ａ内にジグソーパズル３を収納し、しかも、包装容器Ａの裏面を使ってジグソーパズル３が組立てられるようにしたので、商品に付加価値が加えられて購買意欲をそそり商品価値が高められるばかりでなく、包装容器Ａを利用してジグソーパズル３が楽しめるといった遊技機能も備えられ、需要者は楽しく遊ぶこともでき便利である。また、空箱が再使用されることから、ゴミ問題にも寄与できる。
【００２２】
また、蓋体２の天板１５を透明にすると共に該天板１５を介してジグソーパズル３が見られることにより、需要者は該ジグソーパズル３に印刷して描出されるキャラクター、自動車または風景画等の絵・図柄を直接見ることができ、これにより商品価値が高められる。更に、容器本体１裏面の組立凹部８で組立てられたジグソーパズル３に蓋体２を被せることにより、フレームで固定されたような体裁を作ることができ見て楽しめ、保管するにもピース３ａがバラバラにならず便利である。
【００２３】
更に、ジグソーパズル３が組立凹部８に嵌った状態で蓋体２を被せて飾るために適宜位置に保持手段を設けることにより、ジグソーパズル３の嵌った包装容器Ａを例えば机の上に置いたりまたは壁に掛けられ、インテリアとして飾って楽しむことができる。
【００２４】
なお、図示は省略するが、前記円形状の台板４は、その中心からずれた周縁に近い位置に親指が挿通できる程度の円孔を開設するようにすれば、例えば、前記円孔に親指を挿通して手で台板４を持つことにより、該台板４が団扇として使用でき実用的な機能を備えさせることができる。
【図面の簡単な説明】
【００２５】
【図１】本発明に係る包装容器の斜視図。
【図２】同分解斜視図。
【図３】同裏側から見た斜視図。
【図４】内部にキャンディを収納した包装容器の側面断面図。
【図５】ジグソーパズルを組立てる状態を示す容器本体の裏面斜視図。
【図６】ジグソーパズルの組立が完成した状態を示す容器本体の裏面斜視図。
【図７】蓋体を被せた容器本体の裏面斜視図。
【図８】同側面断面図。
【図９】立てて飾る場合の包装容器の裏から見た斜視図。
【図１０】吊下げて飾る場合の包装容器の裏から見た斜視図。
【符号の説明】
【００２６】
１                容器本体
２                蓋体
３                ジグソーパズル
３ａ              ピース
８                組立凹部
９                保持手段（保持部材）
１４              保持手段（吊下孔）
１５              天板
１８              保持手段（吊下孔）
１９              保持手段（紐）
Ａ                包装容器
【図１】
2006256680.tif 000003
【図２】
2006256680.tif 000004
【図３】
2006256680.tif 000005
【図４】
2006256680.tif 000006
【図５】
2006256680.tif 000007
【図６】
2006256680.tif 000008
【図７】
2006256680.tif 000009
【図８】
2006256680.tif 000010
【図９】
2006256680.tif 000011
【図１０】
2006256680.tif 000012